(57)【要約】      （修正有）【課題】ラップフィルムを引出して切断する収納ケースにおいて、ラップフィルムを最後まで気持ちよく使い切ることができ、軽い力で左右どちらの端からも確実にフィルムを切断できるラップフィルム用収納ケースを提供する。【解決手段】ケース本体１１内にラップフィルム巻回体Ｒを収納し、蓋板１２の前端に掩蓋片１８を設け、掩蓋片１８の前端に沿って切断刃部２１を取り付けてラップフィルム用収納ケース１０を形成する。上記の収納ケース１０は、ケース本体、蓋板、掩蓋片および切断刃がプラスチック製または金属製からなる。また、掩蓋片１８は、先端の中央部に下向きに突出する突出部１８ａを設け、突出部１８ａから左右斜めやや上方に傾斜部１８ｂが延在し、両端から隙間ｄを残して上向きに終端部１８ｃを延ばして蓋板１２の前端に接続し、切断刃部２１は、突出部１８aの前端から左右の傾斜部１８ｂにかけて掩蓋片１８の内面に対し鋭角に、終端部１８ｃにおいて掩蓋片１８の内面に対し鈍角に切断刃を取付ける。【選択図】図１
0003173810.tif 000002
【実用新案登録請求の範囲】
【請求項１】
箱形形状のケース本体内にラップフィルム巻回体が収納され、同ケース本体の背板上端部にケース本体の上部開口部を開閉可能な蓋板が取り付けられ、蓋板の前端にケース本体の前板に沿って下向きに延びる掩蓋片が設けられ、掩蓋片の先端に沿って、ケース本体内のラップフィルム巻回体から引き出されたフィルムを切断する切断刃部が取り付けられたラップフィルム用収納ケースにおいて、
前記ケース本体、蓋板、掩蓋片および切断刃がプラスチック製または金属製からなり、
前記掩蓋片は、先端の中央部に下向きに突出する突出部が設けられ、先端の中央部の突出部から左右斜めやや上方に傾斜部が延在し、前記蓋板の両脇から隙間を残して上向きに終端部が延びて蓋板の前端に接続されており、
切断刃部における切断刃が、掩蓋片の突出部から左右の傾斜部にかけて、掩蓋片の内面に対し鋭角に取付けられ、終端部において、掩蓋片の内面に対し鈍角に取付けられていることを特徴とするラップフィルム用収納ケース。
【請求項２】
蓋板の両脇に蓋側板が設けられ、同蓋側板の内面の前端寄りおよびこれと相対するケース本体の側板の外面の前上端寄りとの間に、蓋板の閉動作に合せて、蓋側板の前端をケース本体の側板の前上端に弾性的に係止する第２の係止部が設けられていることを特徴とする請求項１記載のラップフィルム用収納ケース。
【請求項３】
掩蓋片の突出部に、ケース本体内から引き出したフィルムを切断する際に親指で押圧する押圧部が設けられ、押圧部の内面およびこれと相対するケース本体の前板との間に、引き出されたフィルムの途中を係止する第１の係止部が設けられていることを特徴とする請求項１または請求項２記載のラップフィルム用収納ケース。
【請求項４】
ケース本体の両側板の上端面が前端から後端にかけて下向きに傾斜しながら湾曲する湾曲面に形成され、蓋板が両側板の湾曲する上端面に合せて前端から後端にかけて下向きに傾斜しながら湾曲する湾曲板に形成されていることを特徴とする請求項１ないし請求項３のいずれか一項に記載のラップフィルム用収納ケース。
【考案の詳細な説明】
【技術分野】
【０００１】
本考案は、特に食品包装用のラップフィルム、アルミホイル等（以下、ラップフィルムと称す）が巻回状態で収納されるラップフィルム用収納ケースに関するものである。
【背景技術】
【０００２】
食品等を包装するラップフィルムは、通常円筒の芯体に巻回されて紙製の箱内に収納されている。図７にこの種のラップフィルムの収納箱の例を示す。同図に示すように、この種のラップフィルムの収納箱は、前板２、底板３、背板４及び側板５から構成される箱体１の収納室６にラップフィルム巻回体Ｒが収納されており、前記背板４の上端縁には箱体の上部開口部を開閉可能な蓋板７が取付けられており、蓋板７の前端縁から前板２を覆う方向に掩蓋片８が延出しており、その両脇に掩蓋片側板９が設けられた構造とされている（例えば特許文献１、特許文献２参照）。そして、収納室６に収納したフィルム巻回体ＲからフィルムＦを引き出して、蓋板７を閉じ、箱体１を把持した手の掩蓋片８の表面の長手中央を押さえた親指と、引き出したフィルム端を保持した手との間でフィルムに張力を与え、同張力により上記掩蓋片８の先端縁部に設けられた長尺な切断刃部ＫにおいてフィルムＦを切断するようになっている。
【先行技術文献】
【特許文献】
【０００３】
【特許文献１】特開平０９−１３２２３５号公報
【特許文献２】特開平０６−２９３３３６号公報
【考案の概要】
【考案が解決しようとする課題】
【０００４】
しかしながら、従来のラップフィルム用収納箱は、紙製であるため（切断刃部も従来の金属製から焼却処分しやすい紙製に代替されている）、収納されたラップフィルムを最後まで気持ちよく使い切ることが難しく、また、台所において濡れた手でラッピング作業することで収納箱の耐久性が低下し、ラップフィルムを使い切る前に収納箱が壊れてしまうことがあった。
【０００５】
また、この種のラップフィルムの収納箱の切断刃部は直線状のものが大部分であり、使用者は「持ち上げ切り」「水平開き切り」と称される様な、フィルム端部から切断するのが一般的であり、軽い力で確実に切断できることが望ましい。
【０００６】
本考案は、上記課題に鑑みてなされたもので、円筒の芯体に巻かれて収納されているラップフィルムを引出して切断する収納ケースにおいて、耐久性に優れて、ラップフィルムを最後まで気持ちよく使い切ることができ、また、軽い力で左右どちらの端からも確実にフィルムを切断できるラップフィルム用収納ケースを提供することを目的とする。
【課題を解決するための手段】
【０００７】
上記課題を解決するために、本考案は、箱形形状のケース本体内にラップフィルム巻回体を収納し、同ケース本体の背板上端部にケース本体の上部開口部を開閉可能な蓋板を取り付け、蓋板の前端にケース本体の前板に沿って下向きに延びる掩蓋片を設け、掩蓋片の先端に沿って、ケース本体内のラップフィルム巻回体から引き出したフィルムを切断する切断刃部を取り付けたラップフィルム用収納ケースにおいて、
前記ケース本体、蓋板、掩蓋片および切断刃をプラスチック製または金属製から構成し、
前記掩蓋片は、先端の中央部に下向きに突出する突出部を設け、先端の中央部の突出部から左右斜めやや上方に傾斜部を延在させ、前記蓋板の両脇から隙間を残して上向きに終端部を延ばして蓋板の前端に接続し、
切断刃部における切断刃を、掩蓋片の突出部から左右の傾斜部にかけて、掩蓋片の内面に対し鋭角の角度に取付け、終端部において、掩蓋片の内面に対し鈍角の角度に取付けることを主要な特徴とする。
【０００８】
本考案に係るラップフィルム用収納ケースは、蓋板の両脇に蓋側板を設け、同蓋側板の内面の前端寄りおよびこれと相対するケース本体の側板の外面の前上端寄りとの間に、蓋板の閉動作に合せて、蓋側板の前端をケース本体の側板の前上端に弾性的に係止する第２の係止部を設けたことを第２の特徴とする。
【０００９】
本考案に係るラップフィルム用収納ケースは、掩蓋片の突出部に、ケース本体内から引き出したフィルムを切断する際に親指で押圧する押圧部を設け、押圧部の内面およびこれと相対するケース本体の前板との間に、引き出したフィルムの途中を係止する第１の係止部を設けたことを第３の特徴とする。
【００１０】
本考案に係るラップフィルム用収納ケースは、ケース本体の両側板の上端面を前端から後端にかけて下向きに傾斜しながら湾曲する湾曲面に形成し、蓋板を両側板の湾曲する上端面に合せて前端から後端にかけて下向きに傾斜しながら湾曲する湾曲板に形成したことを第４の特徴とする。
【考案の効果】
【００１１】
以上説明したように、本考案に係るラップフィルム用収納ケースによると、ケース本体からフィルムを引き出して、左右どちらの端からでも軽い力でフィルムを容易かつ確実に切断することができる。また、ケース本体等がプラスチック製または金属製からなるから、紙製と異なり、台所作業で手が水に濡れたとしても、耐久性に優れる。したがって、収納されたラップフィルムを最後まで気持ちよく使い切ることができるという優れた効果を奏する。
【００１２】
また、切断刃部の切断刃は、掩蓋片の突出部の前端から左右の傾斜部にかけて、ケース本体の前板に対し直角よりも内向きの角度に取付けているから、フィルムの切断時あるいは不使用時において、切断刃が指等に接触する危険性が少なく、終端部においては、前板に対し直角よりも外向きの角度に取付けているものの、前板の両端から少し隙間を残してあるから、終端部においても、切断刃が指等に接触する危険性が少なく、したがって、安全性を十分に確保しながら、フィルムを切断できるという優れた効果を奏する。
【００１３】
さらに、ラップフィルムのみを交換すればよく、ゴミの減量に貢献できるし、可燃ゴミの減少によるＣＯ２の排出量削減等により地球環境に貢献できる等の優れた効果を奏する。
【図面の簡単な説明】
【００１４】
【図１】本考案のラップフィルム用収納ケースを開いた状態の斜視図、
【図２】（Ａ）は掩蓋片の先端傾斜部における切断刃部の正面図、（Ｂ）は図１のＡ−Ａ線矢視断面図、
【図３】（Ａ）は掩蓋片の先端終端部における切断刃部の正面図、（Ｂ）は図１のＢ−Ｂ線矢視断面図、
【図４】フィルムを引き出して手で収納ケースを把持している様子を示す斜視図、
【図５】掩蓋片の押圧部を親指で押圧した状態を示す要部断面図、
【図６】フィルムの切断端を示す要部平面図、
【図７】従来のラップフィルム収納箱を示す斜視図である。
【考案を実施するための最良の形態】
【００１５】
以下、本考案の実施の形態を、図面を参照して説明する。
図１ないし図６は本考案の一実施形態を示すもので、図１において、符号１０は本考案に係るラップフィルム用収納ケースを示している。
【００１６】
図１に示すように、ラップフィルム用収納ケース１０は、剛性のあるケース本体１１に開閉可能な蓋板１２がヒンジ結合された基本構造とされている。
【００１７】
ケース本体１１は、全体として横長の箱形形状をしており、前板１３と底板１４と背板１５と両脇の側板１６から箱形に形成され、その内部の収納室１７にラップフィルム巻回体Ｒを収納するようになっている。背板１５の高さは前板１３の高さより一段と低く設定され、両側板１６の上端面は前端から後端にかけて下向きに傾斜しながら湾曲する湾曲面に形成されている。かかる箱形形状のケース本体１１は、軽量なプラスチック製から構成されている。
【００１８】
背板１５の上端には、ヒンジ部１７を介して蓋板１２が開閉可能に取り付けられている。蓋板１２は、両側板１６の湾曲する上端面に合せて前端から後端にかけて下向きに傾斜しながら湾曲する湾曲板に形成されている。蓋板１２の前端には、前板１３の前面に沿って下向きに延びる掩蓋片１８が設けられている。この掩蓋片１８は、先端の中央部に下向きに突出する押圧突出部１８ａが設けられていると共に、先端の中央部の押圧突出部１８ａから左右斜めやや上方に傾斜部１８ｂが延在して、蓋板１２の両脇から少し隙間ｄを残して（ｄ＝２〜３ｍｍ）上向きに終端部１８ｃが延びて蓋板１２の前端に接続されている。
【００１９】
蓋板１２の両脇には蓋側板１９が設けられている。同蓋側板１９の内面の前端寄りには係止凹部２０ａが設けられ、相対する側板１６の外面の前上端寄りに係止凸部２０ｂが設けられている。これにより、蓋板１２を閉動作すると、側板１６側の係止凸部２０ｂに蓋側板１９側の係止凹部２０ａが弾性的に係止され、蓋板１２の閉状態が維持されるようになっている。係止凹部２０ａおよび係止凸部２０ｂは第１の係止部を構成する。
【００２０】
掩蓋片１８の先端に沿って、すなわち、押圧突出部１８ａの先端から左右の傾斜部１８ｂ、左右の傾斜部１８ｂから終端部１８ｃにかけて、収納室１７内のラップフィルム巻回体Ｒから引き出されたフィルムＦを切断する切断刃部２１が取り付けられている。この切断刃部２１の切断刃２１Ａは、図２（Ａ）および図２（Ｂ）に示すように、押圧突出部１８ａの前端から左右の傾斜部１８ｂにかけて、掩蓋片１８の内面に対し鋭角（掩蓋片１８の内面と切断刃２１Ａのなす角度α１＝４０度〜８５度）の角度に取付けられ、また、図３（Ａ）および図３（Ｂ）に示すように、終端部１８ｃにおいて、掩蓋片１８の内面に対し鈍角（掩蓋片１８の内面と切断刃２１Ａのなす角度α＝９５度〜１７５度）の角度に取付けられている。
【００２１】
上記掩蓋片１８の押圧突出部１８ａには、収納室１７から引き出したフィルムＦの切断の際に親指で押圧する押圧部２２が設けられており、押圧部２２の裏面には、係止凸部２２ａ（図５参照）が設けられ、相対する前板１３の外面には係止凸部２２ａに係止する係止凹部２２ｂが設けられている。これにより、図４に示すように、収納室１７から引き出したフィルムＦの切断の際に押圧部２２を親指で押圧することにより、図５に示すように、裏面の係止凸部２２ａがフィルムＦの一部を係止凹部２２ｂ内に係止させ、フィルムＦの切断の際にフィルムＦの切断線近傍を動かないように固定することができる。なお、係止凸部２２ａおよび係止凹部２２ｂは第２の係止部を構成する。
【００２２】
上記構成の蓋板１７および掩蓋片１８、蓋側板１９、切断刃部２１は、いずれもケース本体１１と同様に、軽量なプラスチック製から構成されている。
【００２３】
次に、以上のように構成されたラップフィルム用収納ケース１０の使用方法の一例について以下に説明する。
【００２４】
ケース本体１１にラップフィルム巻回体Ｒを収納するには、ケース本体１１の蓋板１２をヒンジ部１７回りに回動させて開き、収納室１７内にラップフィルム巻回体Ｒをセットする。使用しない場合は、蓋板１２を閉じると同時に、第１の係止部、すなわち両蓋側板１９内面の係止凹部２０ａに相対する側板１６外面の係止凸部２０ｂを弾性的に係止させ、蓋板１２を閉状態に維持する。
【００２５】
ケース本体１１内からフィルムＦを引き出すには、図１に示すように、蓋板１２をヒンジ部１７回りに回動させて蓋板１２を開く。蓋板１２を開くにあたり、両蓋側板１９内面の係止凹部２０ａは、弾性変形によって側板１６外面の係止凸部２０ｂとの係止状態が容易に解除される。かかる状態で一方の手（例えば左手）でケース本体１１を把持し他方の手（例えば右手）でフィルムＦの使用量だけ引き出し、蓋１２を再びヒンジ部１７回りに回動させて蓋板１２を閉じる。蓋板１７が前端から後端にかけて下向きにＲ状に湾曲するから、収納室１７に収納されたラップフィルム巻回体Ｒが円滑に回動し、フィルムＦをスムーズに引き出しすることができる。
【００２６】
次に引き出したフィルムＦを掩蓋片１８の先端の切断刃部２１で切断するには、図４に示すように、ケース本体１１を把持する方の手の親指で掩蓋片１８の押圧突出部１８ａの押圧部２２を押圧する。そうすると、図５に示すように、裏面の係止凸部２２ａがフィルムＦの途中を係止凹部２２ｂ内に係止し、フィルムＦの切断線近傍を動かないように固定する。かかる固定状態で、引き出したフィルムＦの端を保持した手との間でフィルムＦに張力を付与し、フィルムＦに切断刃部２１の切断刃２１Ａの刃先を左右の端から食い込ませて切断する。
【００２７】
この場合、例えば「持上げ切り」する場合には、手で保持するフィルムＦの端を持上げ、切断刃部２１の一端（一方の終端部１８ｃ）から他端（他方の終端部１８ｃ）に向けて順次に当接する方向にフィルムＦに張力を加え、切断刃２１Ａで順次切断していく。掩蓋片１８の前端に沿う終端部１８ｃに位置する切断刃２１Ａは、掩蓋片１８の内面に対し鈍角に取付けられているから、フイルムＦの端に切断刃２１Ａの刃先を容易に食い込ませて切断開始することができる。
【００２８】
掩蓋片１８の前端に沿う両方の終端部１８ｃに位置する切断刃２１Ａが、掩蓋片１８の内面に対し鈍角に取付けられているから、右手にフィルムＦの端を把持する場合および左手にフィルムＦの端を把持する場合のいずれであっても、フイルムＦの端に切断刃２１Ａの刃先を容易に食い込ませて切断することができる。
【００２９】
さらに、ケース本体１１を把持する方の手の親指で掩蓋片１８の押圧突出部１８ａの押圧部２２を押圧し、フィルムＦの切断線近傍を動かないように固定するから、他方の手との間でフィルムＦに確実に張力を付与し、フィルムＦに横断方向全体に亘り切断刃部２１の切断刃２１Ａの刃先を容易に食い込ませて切断することができる。
【００３０】
「水平開き切り」する場合は、ケース本体１１と引き出したフィルムＦとの水平関係を維持したまま、ケース本体１１を保持している方の手首を水平横方向に振って広げることにより、フィルムＦに張力を付与し、切断刃部２１の一端（一方の終端部１８ｃ）から他端（他方の終端部１８ｃ）に向けて順次切断するようにすればよい。
【００３１】
フィルムＦの切断後は、図６に示すように、フィルムＦの切断端の中央に左右の終端よりも前方に突出する突出部ａが形成されることになるので、次回にフィルムＦを引き出す際に同突出部ａを他方の手の指で摘んで引張り易くなる。
【００３２】
本実施形態のラップフィルム用収納ケース１０によれば、次のような効果を奏する。
（１）ケース本体１１からフィルムＦを引き出して、持上げ切り、水平開き切りのどちらの場合でも、左右どちらの端からでも軽い力でフィルムＦを容易かつ確実に切断することができる。
（２）切断刃部２１の切断刃２１Ａは、掩蓋片１８の押圧突出部１８ａの前端から左右の傾斜部１８ｂにかけて、掩蓋片１８の内面に対し鋭角に取付けられているから、フィルムＦの切断時あるいは不使用時において、切断刃２１Ａが指等に接触する危険性が少ない。また、終端部１８ｃにおいては、掩蓋片１８の内面に対し鈍角に取付けられているものの、前板１３の両端から少し隙間ｄを残してあるから、終端部１８ｃにおいても、切断刃２１Ａが指等に接触する危険性が少ない。したがって、安全性を確保しながらフィルムFを切断できる。
（３）蓋板１７が前端から後端にかけて下向きにＲ状に湾曲するから、収納室１７に収納されたラップフィルム巻回体Ｒが円滑に回動し、フィルムＦをスムーズに引き出しすることができる。
（４）ケース本体１１および蓋板１２、切断刃部２１等がプラスチック製からなるから、紙製と異なり、台所作業で手が水に濡れたとしても、収納ケース１０の耐久性を保持することができる。したがって、収納されたラップフィルムを最後まで気持ちよく使い切ることができる。
（５）収納ケース１０の耐久性を保持できることから、ラップフィルムのみを交換すればよく、ゴミの減量に貢献することができるし、可燃ゴミの減少によるＣＯ２の排出量削減等により地球環境に貢献することができる。
（６）収納ケース１０をしっかりとした構造にできるから、ラップフィルム巻回体Ｒの巻き芯を細くして、フィルムＦのラップ量を増加させることができる。
【００３３】
かくして、本考案のラップフィルム用収納ケースによれば、軽い力で左右どちらの端からも切断が容易であり、利便性および耐久性に優れ、地球環境に優しいラップフィルム用収納ケースを実現することができる。
【００３４】
なお、上記実施形態では、収納ケースの材質に、プラスチック素材を用いたが、アルミニウム等の軽量な金属素材を用いてもよい。
【産業上の利用可能性】
【００３５】
本考案に係るラップフィルム用収納ケースは、特に食品包装用のラップフィルム、アルムホイル等が巻回状態で収納されるラップフィルム用収納ケースとして、幅広く利用可能である。
【符号の説明】
【００３６】
１０  ラップフィルム用収納ケース
１１  ケース本体
１２  蓋板
１３  前板
１４  底板
１５  背板
１６  側板
１７  ヒンジ部
１８  掩蓋片
１８ａ  押圧突出部
１８ｂ  傾斜部
１８ｃ  終端部
１９  蓋側板
２０ａ，２２ｂ  係止凹部
２０ｂ，２２ａ  係止凸部
２１  切断刃部
２１Ａ  切断刃
２２  押圧部
ａ  フィルムの切断端の中央突出部
ｄ  隙間
Ｆ  フィルム
Ｒ  ラップフィルム巻回体
【図１】
0003173810.tif 000003
【図２】
0003173810.tif 000004
【図３】
0003173810.tif 000005
【図４】
0003173810.tif 000006
【図５】
0003173810.tif 000007
【図６】
0003173810.tif 000008
【図７】
0003173810.tif 000009